(57)【要約】【課題】長期稼働の旧型モデルの冷蔵貯蔵庫に対し、互換性の無い新型モデルの冷却ユニット製品を流用して支障なくローテーションが行えるように冷却ユニットと貯蔵庫本体との間の連結構造を改良する。【解決手段】貯蔵庫本体１の上部に冷却ユニット２を設置し、該冷却ユニットを経由して庫内に冷気を循環送風するようにした冷蔵貯蔵庫であり、冷却ユニット２はユニットケース３に凝縮器４，蒸発器５，ファン６を内蔵してその底部側に冷気吹出口３ｃ，吸込口３ｄが開口した構成になり、貯蔵庫本体１の天井壁部には前記冷気吹出口３ｃ，吸込口３ｄに対応する冷気流導入口１ｃ，冷気流排出口１ｄを開口したものにおいて、冷却ユニット２と貯蔵庫本体１との間に断熱パネル構造になる導風アタッチメント１０を介装し、該導風アタッチメント１０に形成したアジャスト導風通路１２ａ，１２ｂを経由して冷却ユニット２の冷気吹出口３ｃ，吸込口３ｄとずれた位置に開口する貯蔵庫本体１の冷気流導入口１ｃ，冷気流排出口１ｄとの間を適正に連通させるようにする。【選択図】図１
2012107807.tif 000002
【特許請求の範囲】
【請求項１】
貯蔵庫本体のキャビネット上部に冷却ユニットを設置し、該冷却ユニットを経由して貯蔵庫本体の庫内に冷気を循環送風するようにした冷蔵貯蔵庫であり、前記冷却ユニットはそのユニットケースに凝縮器，蒸発器，ファンを内蔵し、かつそのユニットケースの底部側に前記蒸発器に通じる冷気吹出口，吸込口が開口した構成になり、貯蔵庫本体のキャビネット天井壁部には冷却ユニットの冷気吹出口，吸込口に対応する冷気流導入口，および冷気流排出口を開口したものにおいて、
前記の冷気流導入口，冷気流排出口が冷却ユニットの冷気吹出口，吸込口とずれた位置に開口している貯蔵庫本体に対しては、冷却ユニットと貯蔵庫本体との間に導風アタッチメントを介装し、該導風アタッチメントに形成したアジャスト導風通路を介して冷却ユニットの冷気吹出口，吸込口と貯蔵庫本体の冷気流導入口，冷気流排出口との間を連通させたことを特徴とする冷蔵貯蔵庫。
【請求項２】
請求項１に記載の冷蔵貯蔵庫において、導風アタッチメントは、鋼板製の外郭ケースに断熱材を充填した断熱パネルをベースとして、該断熱パネルに冷却ユニットの冷気吹出口，吸込口と貯蔵庫本体のキャビネット天井壁部に開口した冷気流導入口，冷気流排出口の間を連通させるアジャスト導風通路を貫通形成したことを特徴とする冷蔵貯蔵庫。
【請求項３】
請求項２に記載の冷蔵貯蔵庫において、導風アタッチメントのアジャスト導風通路を発泡樹脂製のブロック体に形成した上で、該ブロック体を導風アタッチメントの断熱パネルに埋設して配置したことを特徴とする冷蔵貯蔵庫。
【請求項４】
請求項１ないし３のいずれかの項に記載の冷蔵貯蔵庫において、冷却ユニットのユニットケースを導風アタッチメントの外郭ケース上面に載置して所定位置に取付けるとともに、導風アタッチメントはその下面に開口するアジャスト導風通路の開口端を貯蔵庫本体のキャビネット天井壁部に開口した冷気流導入口，冷気流排出口の位置に合わせて貯蔵庫本体の上面に取付けたことを特徴とする冷蔵貯蔵庫。
【発明の詳細な説明】
【技術分野】
【０００１】
本発明は、農産物の冷蔵保存に適用する冷蔵貯蔵庫に関する。
【背景技術】
【０００２】
農産物の生産者（農家）が収穫した穀物，野菜，果物などの農産物を冷蔵保存する冷蔵貯蔵庫が知られており（例えば、特許文献１参照）、その製品の従来構成を図５，図６に示す。
【０００３】
図において、１は断熱筐体になる貯蔵庫本体、１ａは前面扉、１ｂは貯蔵庫本体１のキャビネット上面（天井壁部）に開口した循環冷気の導風口、２は貯蔵庫本体１のキャビネット上部に設置した冷却ユニットであり、該冷却ユニット２はそのユニットケース３に冷凍機の凝縮器４，蒸発器５，送風ファン６，蒸発器５の除霜で発生するドレン水を処理する蒸発皿７などを内蔵した構造になる。なお、３ａはユニットケース３のベース板、３ｂは蒸発器５，送風ファン６を包囲して該蒸発器，ファンを経由する冷気の循環通路を画成する断熱仕切壁である。そして、冷却ユニット２はそのユニットケース３の断熱仕切壁３ｂで画成した冷気循環通路の吹出口３ｃ，吸込口３ｄの開口端面が貯蔵庫本体１のキャビネット上面に開口した前記導風口１ｂと連通し合うように位置決めし、この位置でユニットケース３がキャビネットにネジ９で固定されている。また、貯蔵庫本体１の庫内天井側には前記導風口１ｂに通じる位置に冷気導入／排出ダクト８が配置されている。
【０００４】
上記の構成で、冷却ユニット２の保冷運転時には蒸発器５，ファン６を経由した冷気流が図示矢印のように貯蔵庫本体１の庫内を循環して庫内に収容した農産物を保冷する。
なお、前記の冷気導入／排出ダクト８（図５参照）を設ける代わりに、貯蔵庫本体１の天井壁部に冷気導入口と排出口を左右に分離して開口した構成の冷蔵貯蔵庫も知られている（例えば、特許文献２参照）。
【先行技術文献】
【特許文献】
【０００５】
【特許文献１】特開２００７−１３２６３８号公報
【特許文献２】特開２００６−１０１６６号公報
【発明の概要】
【発明が解決しようとする課題】
【０００６】
前記冷蔵貯蔵庫の製品はユーザーの使用先現地に据付けて使用されるわけであるが、長期間の稼働により発生する運転トラブルは、冷却ユニット２の寿命による故障が大半である。
【０００７】
この場合に、製品メーカーは補修用性能部品として各機種に対応する冷却ユニットを一定期間保有することが義務付けられているが、一方では新旧機種のモデルチェンジにより、貯蔵庫本体のキャビネット構造（例えば、図５の貯蔵庫本体１に開口した冷気の導風口１ｂの開口幅）、および冷却ユニットの仕様，構造（例えば、図５の冷却ユニット２でそのユニットケース３の底面に開口した冷気吹出口３ｃ，吸込口３ｄの開口位置，開口幅など）が変更されており、冷却ユニット２の取付け構造については旧型モデルと新型モデルの間で互換性が無いケースが多い。
【０００８】
このために、既に量産が終了して補修用性能部品の保有期間も過ぎた旧型モデルの冷蔵貯蔵庫について、その冷却ユニットが寿命に至って故障した場合に、ユーザーは旧型モデルの機種に適合する冷却ユニットをメーカーに特別発注してローテーション（部品交換）を行うか、あるいは引き続き使用が可能な貯蔵庫本体を放棄して新型モデルの冷蔵貯蔵庫に買い替える必要があって高い経費が掛かることになる。
【０００９】
一方、最近ではメーカーが冷蔵貯蔵庫に搭載する冷却ユニットを標準化し、この標準仕様の冷却ユニットを各機種の貯蔵庫本体にも適用できるようした生産，管理体制が確立しているが、それでも既に量産終了から相当な期間が経過している旧型モデルの製品に対しては、新しく開発した標準仕様の冷却ユニットは互換性が無いためにそのままでは旧型モデルのローテーションには対応できないのが現状である。
【００１０】
本発明は上記の点に鑑みなされたものであり、長期間稼働している旧型モデルの貯蔵庫に対し、互換性の無い新型モデルの冷却ユニット製品を流用してローテーションが行えるように冷却ユニットと貯蔵庫本体との間の連結構造を改良した冷蔵貯蔵庫を提供することを目的とする。
【課題を解決するための手段】
【００１１】
上記目的を達成するために、本発明によれば、貯蔵庫本体のキャビネット上部に冷却ユニットを設置し、該冷却ユニットを経由して貯蔵庫本体の庫内に冷気を循環送風するようにした冷蔵貯蔵庫であり、前記冷却ユニットはそのユニットケースに凝縮器，蒸発器，ファンを内蔵し、かつそのユニットケースの底部側に前記蒸発器に通じる冷気吹出口，吸込口が開口した構成になり、貯蔵庫本体のキャビネット天井壁部には冷却ユニットの冷気吹出口，吸込口に対応する冷気流導入口，および冷気流排出口を開口したものにおいて、
前記の冷気流導入口，冷気流排出口が冷却ユニットの冷気吹出口，吸込口とずれた位置に開口している貯蔵庫本体に対しては、冷却ユニットと貯蔵庫本体との間に導風アタッチメントを介装し、該導風アタッチメントに形成したアジャスト導風通路を介して冷却ユニットの冷気吹出口，吸込口と貯蔵庫本体の冷気流導入口，冷気流排出口との間を連通させるものとし（請求項１）、導風アタッチメントは具体的には次記の態様で構成する。
（１）前記の導風アタッチメントは、鋼板製の外郭ケースに断熱材を充填した断熱パネルをベースとして、該断熱パネルに冷却ユニットの冷気吹出口，吸込口と貯蔵庫本体のキャビネット天井壁部に開口した冷気流導入口，冷気排出口の間を連通させるアジャスト導風通路を貫通形成する（請求項２）。
（２）前項（１）において、導風アタッチメントのアジャスト導風通路を発泡樹脂製のブロック体に形成した上で、該ブロック体を導風アタッチメントの断熱パネルに埋設して配置する（請求項３）。
（３）また、前記冷却ユニットのユニットケースを導風アタッチメントの外郭ケース上面に載置して所定位置に取付けるとともに、導風アタッチメントはその下面に開口するアジャスト導風通路の開口端を貯蔵庫本体のキャビネット天井壁部に開口した冷気流導入口，冷気流排出口の位置に合わせて貯蔵庫本体の上面に取付ける（請求項４）。
【発明の効果】
【００１２】
上記の構成によれば、旧型モデルの冷蔵貯蔵庫に搭載した冷却ユニットをローテーションする場合に、互換性のない冷却ユニットに導風アタッチメントを組み合わせて貯蔵庫本体に設置することで、新規開発された新型モデルの冷却ユニットをそのまま流用して旧型モデルの冷蔵貯蔵庫のローテーション運用を支障なく行うことができる。
【００１３】
これにより、既に量産が終了して補修部品の保存期間も過ぎた旧型モデルの冷蔵貯蔵庫に搭載した冷却ユニットが故障して運転不能になった場合でも、メーカーは新型モデルの冷却ユニットを流用して補修に即対応させるが可能となる。また、導風アタッチメントのアジャスト導風通路を断熱パネルに形成することで熱損失を低く抑えることができる。
【図面の簡単な説明】
【００１４】
【図１】本発明の実施例による冷蔵貯蔵庫の主要部構造を表す図であって、（ａ）は縦断正面図、（ｂ）は（ａ）の平面図である。
【図２】図１の分解斜視図である。
【図３】図１における風洞アタッチメントに埋設したブロック体の断面図である。
【図４】図１におけるネジ締結部分の拡大断面図である。
【図５】従来における冷蔵貯蔵庫の主要部構造を表す縦断正面図である。
【図６】図５の分解斜視図である。
【発明を実施するための形態】
【００１５】
以下、本発明の実施の形態を図１〜図４に示す実施例に基づいて説明する。なお、図示実施例の図中で、図５，図６に対応する部材には同じ符号を付してその説明は省略する。
まず、図１に図示した貯蔵庫本体１は旧型モデルの製品であって、そのキャビネットの天井壁部には冷気流導入口１ｃと冷気流排出口１ｄが左右に分けて開口している。一方、図示の冷却ユニット２は新しく開発された標準仕様の新型モデル製品で、そのユニットケース３の底部に開口した冷気吹出口３ｃ，冷気吸込口３ｄの開口位置は、旧型モデルの貯蔵庫本体１のキャビネット上面に開口した前記の冷気流導入口１ｃ，冷気流排出口１ｄとは左右にずれた位置に変更されている。したがって、仮に標準仕様の冷却ユニット２をこのまま旧型モデルの貯蔵庫本体１に直接設置すると、冷却ユニット２を経由して貯蔵庫本体１の庫内に冷気を正常に循環送風することができない。
【００１６】
そこで、図示実施例では標準仕様の冷却ユニット２に導風アタッチメント１０を組合せた上で、該導風アタッチメント１０を介して冷却ユニット２を貯蔵庫本体１のキャビネット上面に設置するようにしている。ここで、導風アタッチメント１０は、図４で表すように鋼板製の外郭ケース１０ａに断熱材（例えば、ウレタン発泡樹脂）１０ｂを充填した断熱パネル構造になり、該断熱パネルには図２で示すように別途成形した発泡樹脂製ブロック体１２が一体に埋設されている。そして、この発泡樹脂製ブロック体１２には、標準仕様の冷却ユニット２の底部に開口した冷気吹出口３ｃ，吸込口３ｄと貯蔵庫本体（旧型モデル）１のキャビネット天井壁部に開口した冷気流導入口１ｃ，冷気流排出口１ｄの間を相互に連通させるように左右一対のアジャスト導風通路１２ａ，１２ｂが次記のように形成されている。すなわち、図３に示す発泡樹脂製ブロック体１２の断面図において、発泡樹脂製ブロック体１２の下面側に開口したアジャスト導風通路１２ａ，１２ｂの開口位置，穴幅ａは貯蔵庫本体１に開口した冷気流導入口１ｃ，冷気流排出口１ｄに合わせ、発泡樹脂製ブロック体１２の上面側に開口した穴幅ｂは冷却ユニット２の底部に開口した冷気吹出口３ｃ，吸込口３ｄと連通するように形成されている。なお、標準仕様の冷却ユニット２を取り付ける貯蔵庫本体１が別機種の旧型モデルであれば、その仕様に合わせてアジャスト導風通路１２ａ，１２ｂを発泡樹脂製ブロック体１２に形成する。
【００１７】
そして、貯蔵庫本体１のキャビネット上面に冷却ユニット２を据付けには、まず導風アタッチメント１０の上面に前記の冷気吹出口３ｃ，吸込口３ｄと冷却ユニット２のアジャスト導風通路１２ａ，１２ｂが連通し合うように位置決めした上で、冷却ユニット２のユニットケース３に形成した左右側縁のフランジ部をネジ１１で導風アタッチメント１０にネジ止めする。次に、導風アタッチメント１０を貯蔵庫本体１の上部に載置し、貯蔵庫本体１のキャビネット上面にあらかじめ穿設されている既設のネジ穴を利用して導風アタッチメント１０をネジ９で固定する（図４参照）。
【００１８】
上記のように貯蔵庫本体１と冷却ユニットとの間に導風アタッチメント１０を介装した連結構造を採用することにより、旧型モデルの貯蔵庫本体１に対して互換性のない新型モデルの冷却ユニット２を流用してローテーションを行い、その冷蔵貯蔵庫を継続して稼働できる。
【００１９】
また、導風アタッチメント１０に形成したアジャスト導風通路１２ａ，１２ｂを、貯蔵庫本体１の仕様に合わせて発泡樹脂製のブロック体１２に形成した上で、この発泡樹脂製ブロック体１２を導風アタッチメント１０の断熱パネルに埋設して一体化したことにより、仕様の異なる各機種の貯蔵庫本体１に標準仕様の冷却ユニット２を適用することができ、また導風アタッチメント１０の熱損失も低く抑えることができる。
【符号の説明】
【００２０】
１    貯蔵庫本体
１ｃ  冷気流導入口
１ｄ  冷気流排出口
２    冷却ユニット
３    ユニットケース
３ｃ  冷気吹出口
３ｄ  冷気吸込口
４    凝縮器
５    蒸発器
６    ファン
１０    導風アタッチメント
１０ａ  外郭鋼板
１０ｂ  断熱材
１２    発泡樹脂製ブロック体
１２ａ，１２ｂ  アジャスト導風通路
【図１】
2012107807.tif 000003
【図２】
2012107807.tif 000004
【図３】
2012107807.tif 000005
【図４】
2012107807.tif 000006
【図５】
2012107807.tif 000007
【図６】
2012107807.tif 000008